(57)【要約】【課題】従来のもぐさ灸における不便な問題を解決する。【解決手段】もぐさ灸箱は、上部と下部に開口が設けられ、底部に横向き挿入溝（１）が設置されるケーシング（８）と、長さがケーシングの長さより短く、上部に開口が設けられ、残りの部分がネット状に構成され、断面はＵ字形であり、内壁の形状はもぐさ灸の形状に対応し、外壁の形状はケーシング（８）の形状に対応し、その上部に、ケーシングの上部開口に入れる際に、ケーシング（８）の上部開口の周縁に係止されるフランジ（６１）が設置されるもぐさ灸用金属ネット（６）と、ケーシング（８）の底部の溝（１）によってケーシング（８）の下部の開口に設置される交換を行う交換可能な薬剤シートカートリッジ（７）とを備える。薬剤シートカートリッジにおける薬剤シートによって、もぐさと生姜スライスなど少数の薬品のみ使用する従来のもぐさ灸技術に使用されるもぐさ灸箱よりも、治療効果を高めることができる。異なるツボに異なる薬物を使用することができ、複数種類の治療方法を選択することができるため、伝統の中医学に新たな変化をもたらす。【選択図】図１１
2019508093.tif 000002
【特許請求の範囲】
【請求項１】
上部と下部に開口が設けられ、底部に横向き挿入溝が設置されるケーシングと、
長さがケーシングの長さより短く、上部に開口が設けられ、残りの部分がネット状に構成され、断面はＵ字形であり、内壁の形状はもぐさ灸の形状に対応し、外壁の形状はケーシングの形状に対応し、その上部に、前記ケーシングの上部開口に入れる際に、ケーシングの上部開口の周縁に係止されるフランジが設置される、もぐさ灸用金属ネットと、  
前記ケーシングの底部の横向き挿入溝に挿入され、交換を行う交換可能な薬剤シートカートリッジとを備えることを特徴とする、もぐさ灸箱。
【請求項２】
前記交換可能な薬剤シートカートリッジはネット状構造であり、もぐさ灸の熱は薬剤シートを加熱後に薬剤シートを透過することを特徴とする、請求項１に記載のもぐさ灸箱。
【請求項３】
前記交換可能な薬剤シートカートリッジは、薬剤シートの設置に使用されることを特徴とする、請求項１に記載のもぐさ灸箱。
【請求項４】
前記ケーシングの側面に開口が設けられることを特徴とする、請求項１に記載のもぐさ灸箱。
【請求項５】
前記環状の底部の上方に柱状の突起が設けられることを特徴とする、請求項１に記載のもぐさ灸箱。
【請求項６】
前記底部に環状の両面テープが設けられることを特徴とする、請求項１に記載のもぐさ灸箱。
【請求項７】
前記交換可能な薬剤シートカートリッジは円形であり、前記ケーシングの前記底部から上へ挿入され、円形の薬剤シートカートリッジの底部に環状の両面テープが設けられることを特徴とする、請求項１に記載のもぐさ灸箱。
【請求項８】
前記底部に温度センサーアセンブリが設けられ、前記温度センサーアセンブリは底部の温度を検知し、温度が所定値を超えたら警告音を鳴らすことを特徴とする、請求項１に記載のもぐさ灸箱。
【発明の詳細な説明】
【技術分野】
【０００１】
本発明は、箱に関し、特にもぐさ灸箱に関する。
【背景技術】
【０００２】
中医薬の理論では、もぐさ灸は体の気を補って脾胃を温めるため、活力を保ち、体力を蓄え、老化を防ぐなどの効果があると考えている。ツボに対して長期的に温灸を施すと、体中の陰陽が調和され、脾胃の働きが高まり、体の本質が補強され、体の内側から補い、体を強壮させ、病気をなくす効果がある。もぐさ灸技術は昔から中国において広く利用されてきた。もぐさ灸療法は、もぐさを丸め、または現代の技術によって艾しゅ（もぐさを成型したもの）や棒状のものにし、それを燃焼させることによって生じる熱でツボに刺激を与え、熱で筋脈を刺激することによって人体の機能を調整し、病気の予防や治療の目的を果たす治療方法である。
【０００３】
従来のもぐさ灸療法は、もぐさを丸めて皮膚に置き、または生姜スライスを介して加熱する。また、もぐさを棒状に加工し、その一端を燃やしてから人工的に治療箇所の皮膚に近づけ、放射熱による治療を行う。
【０００４】
また、艾しゅを使用したもぐさ灸箱によるもぐさ灸治療もあるが、艾しゅの燃焼箇所から皮膚までの距離が調節しにくく、人によって距離を調節するような治療を行うことは困難であり、治療の効果に影響を与えることがある。
【０００５】
また、従来のもぐさ灸箱において、もぐさ灸の治療効果を高めるために、添加物(例えば、生姜スライス)をもぐさ灸と皮膚との間に直接置くのは一般的である。しかし、生姜スライスを皮膚に直接置いた場合、体の動きによる生姜スライスの移動・落下等で、もぐさ灸の治療効果に影響を与える虞がある。
【０００６】
また、従来のもぐさ灸箱においては、温度制御装置を設置することによって、もぐさ灸と皮膚との間の距離を調節し、または通風孔に対して風通しの量を調節する。しかし、もぐさ灸箱の温度が継続的に上り、温度制御装置が調整できる範囲を超えた場合、糖尿病患者など、皮膚の感受性が弱い患者にとって、治癒しにくい火傷を起こしやすくなり、体の切断にまで至ることがある。意識不明の患者などに対しても危害が及ぶこともある。
【発明の概要】
【発明が解決しようとする課題】
【０００７】
本発明の実施例において示される目的は、従来のもぐさ灸技術における添加物の移動・落下等の問題を解決し、異なる効果の薬剤シートを多量に使用することによって、もぐさ灸の治療範囲を拡大することができるもぐさ灸箱を提供することである。
【課題を解決するための手段】
【０００８】
本発明の実施例において提供されるもぐさ灸箱は、上部と下部に開口が設けられ、底部に横向き挿入溝が設置されるケーシングと、長さがケーシングの長さより短く、上部に開口が設けられ、残りの部分がネット状に構成され、断面はＵ字形であり、内壁の形状はもぐさ灸の形状に対応し、外壁の形状はケーシングの形状に対応し、その上部に、前記ケーシングの上部開口に入れる際に、ケーシングの上部開口の周縁に係止されるフランジが設置される、もぐさ灸用金属ネットと、ケーシングの底部の横向き挿入溝に挿入され、交換を行う交換可能な薬剤シートカートリッジとを備えることが特徴である。
【０００９】
前記交換可能な薬剤シートカートリッジはネット状構造であり、もぐさ灸の熱は薬剤シートを加熱後に薬剤シートを透過することができる。
【００１０】
前記交換可能な薬剤シートカートリッジは、薬剤シートの設置に使用される。
【００１１】
前記ケーシングの側面に開口が設けられる。
【００１２】
環状の底部の上方に柱状の突起が設けられる。
【００１３】
前記底部に環状の両面テープが設けられる。
【００１４】
前記交換可能な薬剤シートカートリッジは円形であり、ケーシングの底部から上へ挿入され、円形の薬剤シートカートリッジの底部に環状の両面テープが設けられる。
【００１５】
前記底部に温度センサーアセンブリが設けられ、温度センサーアセンブリは底部の温度を検知し、温度が所定値を超えたら警告音を鳴らす。
【発明の効果】
【００１６】
本発明の実施例は交換可能な薬剤シートカートリッジによって、薬剤シートを容易に交換することができ、もぐさと生姜スライスなど少数の薬品のみ使用する従来のもぐさ灸技術に使用されるもぐさ灸箱よりも、治療効果を高めることができる。異なるツボに異なる薬物を使用することができ、複数種類の治療方法を選択することができるため、伝統の中医学に新たな変化をもたらす。
【図面の簡単な説明】
【００１７】
【図１】本発明の実施例のもぐさ灸箱を示す正面図である。
【図２】本発明の実施例のもぐさ灸箱を示す右側面図である。
【図３】本発明の実施例のもぐさ灸箱を示す断面図である。
【図４】本発明の実施例のもぐさ灸箱を示す底面図である。
【図５】本発明の実施例のもぐさ灸箱を示す平面図である。
【図６】本発明の実施例の金属ネットを示す図である。
【図７】本発明の実施例のケーシングと金属ネットとの組み合わせを示す図である。
【図８】本発明の実施例の交換可能な薬剤シートカートリッジを示す図である。
【図９】本発明の実施例のケーシングの底部に温度センサーまたは無線温度センサーを設置する状態を示す断面図である。
【図１０Ａ】本発明の実施例の円形の交換可能な薬剤シートカートリッジを示す図である。
【図１０Ｂ】本発明の実施例の円形の交換可能な薬剤シートカートリッジを示す図である。
【図１１】本発明の実施例の円形の交換可能な薬剤シートカートリッジが底部から上に向かって挿入される状態を示す組み合わせ断面図である。
【発明を実施するための形態】
【００１８】
当業者が本発明を理解し、実施しやすいように、本発明の実施例について図面を参照しながら説明する。
【００１９】
図１−１１に示すように、本実施例はもぐさ灸箱を提供している。もぐさ灸箱は、その上部と下部に開口が設けられ、その底部に溝が設けられるケーシング８と、もぐさ灸用金属ネット６とを備える。もぐさ灸用金属ネット６は、長さがケーシングの長さより短く、その上部に開口が設けられ、残りの部分がネット状に構成され、断面はＵ字形である。もぐさ灸用金属ネット６の内壁の形状はもぐさ灸の形状に対応し、その外壁の形状はケーシングの形状に対応する。もぐさ灸用金属ネット６の上部にフランジ６１が設置される。ケーシングの上部開口に入れる際に、もぐさ灸用金属ネット６がフランジによってケーシングの上部開口の周縁に係止される。前記もぐさ灸用金属ネット６が上方からケーシング８に設置された後、もぐさ灸に火をつけてもぐさ灸用金属ネット６に挿入する際に、火の屑が落ちて皮膚を火傷することがない。もぐさ灸用金属ネット６はもぐさ灸の直径、大きさまたは外形によって、側壁の厚みを調節、または係合部材を設置し、艾しゅを固定することができる。
【００２０】
交換可能な薬剤シートカートリッジ７は、交換可能にケーシングの底部の横向き挿入溝に挿入される。前記交換可能な薬剤シートカートリッジ７はネット状構造であり、もぐさ灸の熱は薬剤シートを加熱してから薬剤シートを透過することができる。前記交換可能な薬剤シートカートリッジ７は薬剤を入れるものである。交換可能な薬剤シートカートリッジ７は薬剤シートの形状とほぼ同様でよく、異なってもよい。薬剤シートの外形は、交換可能な薬剤シートカートリッジ７に入れやすいように、交換可能な薬剤シートカートリッジ７の空間より小さい。また、薬剤シートを薬剤シートカートリッジと同じ寸法で製造すれば、挿入溝に直接挿入することもできる。円形の交換可能な薬剤シートカートリッジを使用して底部から上に向かって挿入する場合、交換可能な薬剤シートカートリッジ７の中間部と底部はネット状の透き通った構造であり、もぐさ灸の熱は薬剤シートを加熱してから薬剤シートを透過することができる。薬剤の成分として、もぐさ灸の治療に資する合成薬剤でもよく、伝統的な植物のスライス、例えば生姜スライスでもよい。もぐさ灸の治療効果に資することができれば、薬剤は、箱入りの粉剤でもよく、ブロック状に成型された製剤やペースト状の製剤でもよい。前記薬剤は漢方薬、西洋薬、あるいは漢方薬と西洋薬とを組み合わせたものである。これによって、伝統の漢方においてもぐさと生姜スライスのみを使用するという制限をなくすことができ、異なる薬剤を混合してシート状に製造し、もぐさ灸の熱によって薬剤を皮膚からツボに進入させ、経脈を刺激することによって、治療の目的を果たす。
【００２１】
また、交換可能な薬剤シートカートリッジ７とケーシング８の接続方法は他にもある。例えば、ケーシング８の下部に溝があり、溝の内面に伸縮可能な突起を設置する。交換可能な薬剤シートカートリッジを溝に設置する際に、突起は交換可能な薬剤シートカートリッジが溝から脱出することを防ぎ、交換可能な薬剤シートカートリッジとケーシングとを一体型の構造に形成する。
【００２２】
薬剤シートに使用される漢方薬は、復方当帰、サルビア、黄耆、川きゅうなどのエキスを含む。復方当帰は血と気を補い、人体の気血を増やすことができる。サルビアは血管を拡張させることができ、黄耆は気を補うことができる。前記灸箱は物理的に温灸の役割を果たし、薬理学において身体強壮、疾患治癒する役割を果たすことができ、もぐさ灸の治療効果を強めることができる。
【００２３】
使用される西洋薬は、ビタミンＢ１、Ｂ１２、Ｃ、Ｋ、エフェドリン、抗生剤などを含む。
【００２４】
薬剤シートを製造するのに、補助原料とするゲル剤（例えば、カルボマー、ゼラチン、アルブミン、アルギン酸塩、キトサンなど）を使用して上記の薬物を加工することができる。各種の加工方法によって、例えば原料からエキスを抽出し、霧化することによって得た粉末に圧力をかけ、または低温乾燥成形などによって本発明の薬剤シートを製造する。これによって、各種の薬剤シートおよび灸箱が使用されやすいよう灸箱とセットになる用具を製造する。
【００２５】
前記ケーシング８の側面に、空気を流動させるための開口が設けられ、もぐさ灸の燃焼に資する。ケーシングは異なる外形と寸法を有してもよく、例えば四角形または円形である。
【００２６】
また、図９に示すように、底部に温度センサーアセンブリ１０を設置し、警告する温度を設定する。温度センサーアセンブリ１０は温度センサー部材と、設定ユニットと、警告部材とを備える。温度センサー部材の検知した温度が所定の温度より高い場合、警告ユニットは警告音を鳴らす。設定ユニットは所定の温度を設定する。警告ユニットは、ブザーと、温度を観測するディスプレイと、または発光ダイオードとを備える。無線によって、センサー部材の測定した温度をディスプレイに伝達してもよい。温度が所定の温度より高くなった場合、警告ユニットは警告音を鳴らす。例えば、正常の人に対して所定の温度を４３℃に設定するが、糖尿病患者に対しては、所定の温度を最高でも４１℃に設置する。その理由として、最も古くから火傷を研究する学者のＨｅｎｒｉｑｕｅｓ氏とＭｏｒｉｔｚ氏の研究により、温度が４４℃を超えた場合、生物の組織は熱による損傷を起こしてしまうことがわかった。そして、糖尿病患者は血糖値が原因で、その表皮層や真皮層、皮下組織の熱伝導率（Ｗ／（ｍ・Ｋ））が正常の人よりはるかに低い。そのため、所定の温度の設定は人によって異なる設定をしてもよい。いったん温度が所定の温度を超えた場合、温度センサーアセンブリは警告音を鳴らし、施術者に熱源を取り出すように知らせる。
【００２７】
前記ケーシングの底部は環状の両面テープによって皮膚に固定することができる。環状の底部の上方に、柱状の突起が設置され、柱状の突起は、輪ゴムのような紐を固定し、灸箱を患者の体に縛り付けるものである。また、柱状の突起に固定されるスナップのような帯状部材を使用し、灸箱を患者の体に固定する。これによって、交換可能な薬剤シートカートリッジにおける薬剤シートまたは生姜スライスなどは、傾斜または逆さまの箇所に使用することができる。柱状の突起の数量や形は特に限定されない。
【００２８】
円形の薬剤シートカートリッジを使用して底部から上へ挿入する場合、円形の薬剤シートカートリッジの底部に環状の両面テープが設置される。
【００２９】
本発明の実施例は、もぐさ灸に関する治療方法を提供し、従来のツボに刺激を与えることによって治療の目的を果たす際に、生姜スライスなどの素材が固定しにくい問題点を解決し、異なる薬剤または効力の異なる素材で製造されるシートによって、特定の治療効果を高めることができる。本発明の使用する薬剤の形状は、前記シート状やペースト状であって、漢方薬、西洋薬、または漢方薬と西洋薬を結合して製造されたものでもよく、天然の食材、例えば生姜スライスまたは人参スライス等でもよい。
【００３０】
本発明の実施例は、もぐさ灸の治療方法を提供し、従来のもぐさ灸が平面の皮膚にしか使用できない制限をなくすことができ、傾斜ないし逆さまになるツボに使用することができる。
【００３１】
前記薬剤シートは、異なる薬物または異なる効果を有する素材をシート状に製造し、それらのシートを使用することによって必要な治療効果を高める。使用する薬剤シートの形状は前記シート状であり、または箱入り薬剤を圧縮してシートにする。シート状の薬剤は漢方薬、西洋薬または漢方薬と西洋薬の混合したものであり、天然の食材例えば生姜スライスまたは人参スライスなどであってもよい。これによって、従来の漢方医がもぐさと生姜スライスのみ使用することに限られた伝統の漢方治療を突破することができ、異なる薬剤をシート状に加工し、もぐさ灸の熱力によって皮膚を通って治療を行うことができる。また、薬剤をペースト状にしてメッシュのカートリッジに入れる。
【００３２】
本発明の実施例によれば、本発明のもぐさ灸箱ともぐさ灸治療方法は、各種の薬剤シートを使用して治療を行う際に、従来のもぐさ灸が平面の皮膚にしか使用できない制限をなくすことができ、傾斜ないし逆さまになるツボに使用することができる。また、もぐさ灸の仕事や行動に対する影響を減らす。その方法としては、環状の底部に患者の体に縛り付けるための輪ゴムを固定する柱状の突起を設置する。また、柱状の突起に固定されているスナップなどの帯状部材によって患者の体に固定する。また、底部に両面テープを接着して皮膚に粘着させる。
【００３３】
また、本発明は、異なる病気と筋脈との関連特性によって、異なる薬剤成分を選択し、異なる種類の薬剤シートを生産することができる。また、一部のツボに使用することによって、温灸の治療効果を高めることができる。
【００３４】
また、本発明は、異なる種類の薬剤シートを使用するとき、薬剤シートまたは薬剤ペーストの種類が多いが、その外形が小さいため、分類して保存しやすく、使用者を困らせることがない。
【００３５】
また、本発明は、糖尿病患者などの皮膚の感受性の弱い患者が、火傷後の傷が治癒しない場合に対する対策である。意識不明の者や、皮膚の感覚を正確に表現できない患者を保護することができる。
【００３６】
そのため、本発明の実施例は薬剤シートを交換できるもぐさ灸箱を提供し、新しいもぐさ灸治療方法を提供する。もぐさと生姜スライスなど少数の薬品のみ使用する従来のもぐさ灸技術に使用されるもぐさ灸箱よりも、治療効果を高めることができる。特に、異なるツボに異なる薬物を使用することができ、複数種類の治療方法を選択することができるため、伝統の中医学に新たな変化をもたらす。
【００３７】
実施例によって本発明を説明したが、本発明の範囲は請求項によって定められるものであって、本発明と同一の範囲内において、あるいは均等の範囲内において、種々の修正や変形を加えることが可能である。
【図１】
2019508093.tif 000003
【図２】
2019508093.tif 000004
【図３】
2019508093.tif 000005
【図４】
2019508093.tif 000006
【図５】
2019508093.tif 000007
【図６】
2019508093.tif 000008
【図７】
2019508093.tif 000009
【図８】
2019508093.tif 000010
【図９】
2019508093.tif 000011
【図１０Ａ】
2019508093.tif 000012
【図１０Ｂ】
2019508093.tif 000013
【図１１】
2019508093.tif 000014
【国際調査報告】
2019508093.tif 000015
2019508093.tif 000016
2019508093.tif 000017
2019508093.tif 000018
2019508093.tif 000019
2019508093.tif 000020